(57)【要約】【課題】  トラッキングサーボ方式としてＤＰＰ法を採用している光ピックアップにおいて、正確に位相調整を行うのを可能にする光検出器を提供すること。【解決手段】  光検出器（３５）の処理回路は、通常モードでは、サブビーム側の出力信号として、先行サブ受光素子群（Ｅ１、Ｆ１、Ｇ１、Ｈ１）で受光された先行サブ受光信号と後行サブ受光素子群（Ｅ２、Ｆ２、Ｇ２、Ｈ２）で受光された後行サブ受光信号とを加算した信号（（Ｅ１＋Ｅ２）、（Ｆ１＋Ｆ２）、（Ｇ１＋Ｇ２）、（Ｈ１＋Ｈ２））を出力し、テストモードでは、サブビーム側の出力信号として、先行サブ受光素子群（Ｅ１、Ｆ１、Ｇ１、Ｈ１）で受光された先行サブ受光信号のみを処理した信号（Ｅ１、Ｆ１、Ｇ１、Ｈ１）を出力するように構成されている。【選択図】      図５
2008090935.tif 000002
【特許請求の範囲】
【請求項１】
トラッキングサーボ方式としてＤＰＰ法を採用している光ピックアップに用いられる光検出器であって、該光検出器は、光ディスクからの戻り光を受光する受光部と、該受光部で受光された受光信号を処理する処理回路とを備え、前記戻り光は、メインビームと先行サブビームと後行サブビームとから構成され、前記受光部は、前記メインビームを受光するメイン受光素子群と、前記先行サブビームを受光する先行サブ受光素子群と、前記後行サブビームを受光する後行サブ受光素子群とから構成される、前記光検出器において、
前記処理回路は、通常モードでは、サブビーム側の出力信号として、前記先行サブ受光素子群で受光された先行サブ受光信号と前記後行サブ受光素子群で受光された後行サブ受光信号とを加算した信号を出力し、テストモードでは、前記サブビーム側の出力信号として、前記先行サブ受光素子群で受光された先行サブ受光信号のみを処理した信号を出力する、ように構成されていることを特徴とする光検出器。
【請求項２】
前記処理回路は、
前記メイン受光素子群から出力されるメイン受光信号を処理して、メイン処理信号を出力するメイン処理回路と、
前記先行サブ受光素子群から出力される先行サブ受光信号と前記後行サブ受光素子群から出力される後行サブ受光信号とを処理して、サブ処理信号を出力するサブ処理回路とを備え、
前記サブ処理回路は、前記通常モードでは、前記先行サブ受光素子群と前記後行サブ受光素子群とを並列に接続して、前記先行サブ受光信号と前記後行サブ受光信号とを加算した信号を前記サブ処理信号として出力し、前記テストモードでは、前記後行サブ受光素子群を切り離して、前記先行サブ受光信号のみを処理した信号を前記サブ処理信号として出力する、ことを特徴とする請求項１に記載の光検出器。
【請求項３】
トラッキングサーボ方式としてＤＰＰ法を採用している光ピックアップであって、前記光ピックアップは、レーザビームを出射ビームとして出射するレーザ光源と、光検出器と、前記出射ビームを光ディスクへ導くとともに、その反射光を戻り光として光検出器へ導く光学系とを備え、前記光学系は、前記出射ビームをメインビームと先行サブビームと後行サブビームとに分割する回折格子と、前記光ディスクに対向するように配置される対物レンズとを含み、前記光検出器は、前記戻り光を受光する受光部と、該受光部で受光された受光信号を処理する処理回路とを備え、前記受光部は、前記メインビームを受光するメイン受光素子群と、前記先行サブビームを受光する先行サブ受光素子群と、前記後行サブビームを受光する後行サブ受光素子群とから構成される、前記光ピックアップにおいて、
前記処理回路は、通常モードでは、サブビーム側の出力信号として、前記先行サブ受光素子群で受光された先行サブ受光信号と前記後行サブ受光素子群で受光された後行サブ受光信号とを加算した信号を出力し、テストモードでは、前記サブビーム側の出力信号として、前記先行サブ受光素子群で受光された先行サブ受光信号のみを処理した信号を出力するように構成されている、ことを特徴とする光ピックアップ。
【請求項４】
前記処理回路は、
前記メイン受光素子群から出力されるメイン受光信号を処理して、メイン処理信号を出力するメイン処理回路と、
前記先行サブ受光素子群から出力される先行サブ受光信号と前記後行サブ受光素子群から出力される後行サブ受光信号とを処理して、サブ処理信号を出力するサブ処理回路とを備え、
前記サブ処理回路は、前記通常モードでは、前記先行サブ受光素子群と前記後行サブ受光素子群とを並列に接続して、前記先行サブ受光信号と前記後行サブ受光信号とを加算した信号を前記サブ処理信号として出力し、前記テストモードでは、前記後行サブ受光素子群を切り離して、前記先行サブ受光信号のみを処理した信号を前記サブ処理信号として出力する、ことを特徴とする請求項３に記載の光ピックアップ。
【発明の詳細な説明】
【技術分野】
【０００１】
本発明は、光ピックアップに関し、特に、互いに波長の異なる３種類のレーザビームを使い分けて３種類の光ディスクに対して記録・再生を行うことが可能な３波長対応光ピックアップに用いられる光検出器に関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｒａｙディスク、ＨＤ−ＤＶＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザビームを照射し、またその反射光を検出するための光ピックアップを備えている。
【０００３】
一方、周知のように、ＤＶＤ装置においては、ディジタル・ヴァーサタイル・ディスク（ＤＶＤ）とコンパクト・ディスク（ＣＤ）とのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザビームを使い分けて記録・再生を行うものであり、「２波長対応光ピックアップ」と呼ばれている。
【０００４】
この種の２波長対応光ピックアップの一種として、ＣＤ用の長波長レーザ光（第１のレーザ光）を出射するためのＣＤ用の第１のレーザダイオードと、ＤＶＤ用の短波長レーザ光（第２のレーザ光）を出射するためのＤＶＤ用の第２のレーザダイオードとを備えたものがある（例えば、特許文献１参照）。
【０００５】
しかしながら、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。この１チップ型レーザダイオードは、第１のレーザ光を出射する第１の発光点と第２のレーザ光を出射する第２の発光点とは所定距離（例えば、１００μｍ）だけ離れているので、第１のレーザビームと第２のレーザビームとは互いに所定距離だけ離間して平行に出射されることになる。
【０００６】
さらに、最近のＤＶＤ装置においては、ＤＶＤやＣＤばかりでなくＨＤ−ＤＶＤ（High Definition ＤＶＤ）に対しても記録・再生可能にするために特殊な光ピックアップを備えた光ディスクドライブを搭載したものも開発されている。そのような特殊な光ピックアップは、ＣＤ用の長波長レーザ光（波長約７８０ｎｍ）とＤＶＤ用の中波長レーザ光（波長約６５０ｎｍ）とＨＤ−ＤＶＤ用の短波長レーザ光（波長約４１０ｎｍ）との３種類のレーザ光を使い分けて記録・再生を行うものであり、「３波長対応光ピックアップ」と呼ばれている。
【０００７】
このような３波長対応光ピックアップとして、上記特許文献２に開示されているような、ＣＤ及びＤＶＤ用の１チップ型レーザダイオード（２波長１パッケージレーザダイオード）と、ＨＤ−ＤＶＤ用の青色レーザダイオードとを使用することができる。尚、以下ではＨＤ−ＤＶＤを単にＨＤとも略称する。
【０００８】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。レーザ光源および光検出器は、光学ベースの外側壁に取り付けられ、対物レンズを除く光学系は光学ベース内に取り付けられる。
【０００９】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【００１０】
上記光ピックアップアクチュエータは、フォーカシング制御、トラッキング制御及びチルティング制御を可能にするための装置であり、対物レンズ駆動装置とも呼ばれる。対物レンズ駆動装置は、対物レンズを保持する対物レンズホルダを、複数本のサスペンションワイヤによってダンパベースで弾性支持している（例えば、特許文献３参照）。
【００１１】
ところで、対物レンズ駆動装置は、「対称構造のもの」と「非対称構造のもの」とに分類される。ここで、対称構造の対物レンズ駆動装置とは、対物レンズを中心としてコイルやマグネットを含む磁気回路が対称に配置されるものをいう。一方、非対称構造の対物レンズ駆動装置とは、対物レンズに対してコイルやマグネットを含む磁気回路が非対称に配置されるものをいう。
【００１２】
対称構造の対物レンズ駆動装置では、対物レンズホルダに１つのフォーカシングコイルを巻回し、対物レンズホルダの側面にトラッキングコイル及びチルティングコイルを貼り付け、これらのコイルを磁気回路のギャップ内に部分的に位置させている。このような構成において、各コイルに流れる電流を制御することで、従来の対称構造の対物レンズ駆動装置は、対物レンズの位置及び傾きを微調整することができる（例えば、特許文献４参照。）。尚、トラッキングコイル及びチルティングコイルは、対物レンズホルダの側面に貼り付ける必要上、空芯コイルで構成されている。
【００１３】
対称構造の対物レンズ駆動装置においては、複数本のサスペンションワイヤは、非駆動状態において水平になるように設けられている。詳述すると、対物レンズ駆動装置は、対物レンズを保持する対物レンズホルダを含む可動部分とダンパベースを含む固定部分とに分けられる。可動部分は複数本のサスペンションワイヤによってダンパベースで支持される。複数本のサスペンションワイヤは、ダンパベースと対物レンズホルダとの間で水平面と平行になるように設けられている。
【００１４】
前述したように、光ピックアップでは、レーザ光源から出射されたレーザビームを光ディスクの所定のトラック上に照射させる必要がある。このようなトラッキング制御のために、従来から３本のビームを用いたトラッキングサーボ方式が用いられている（例えば、特許文献５参照）。そして、３本のビームを用いたトラッキングサーボ方式には、トラッキングエラー信号の生成方法の違いにより、３ビーム法とＤＰＰ（Differential Push-Pull）法との２種類の方法があることが、この技術分野において知られている。尚、３ビーム法およびＤＰＰ法ともに、レーザ光源から出射されたレーザビームを回折格子により、０次回折光と一対の１次回折光の３本のビームに分割する。ここで、０次回折光はメインビームと呼ばれ、一対の１次回折光はサブビームと呼ばれる。また、一対の１次回折光の中、最初にトラックを横断するものは先行サブビームと呼ばれ、後に横断するものは後行サブビームと呼ばれる。本明細書中では、先行サブビームを第１のサブビームと呼び、後行サブビームを第２のサブビームとも呼んでいる。
【００１５】
３ビーム法においては、先行サブビームと後行サブビームとは、それらの間の位相差がトラック横断信号の位相にして１８０度になるように、配置される。そして、３ビーム法では、先行サブビームのスポットによる信号（フォトディテクタの受光信号）から後行サブビームのスポットによる信号（フォトディテクタの受光信号）を減算することでトラッキングエラー信号を生成している。これにより、記録済みメディア（光ディスク）の安定した再生を可能にしている。このような３ビーム法は、ＣＤを再生する場合に使用されている。
【００１６】
一方、ＤＰＰ法では、先行サブビームのスポットによるプッシュプル信号（以下、「先行サブプッシュプル信号」と呼ぶ）と後行サブビームのスポットによるプッシュプル信号（以下、「後行サブプッシュプル信号」と呼ぶ）とを加算した信号を、メインビームのスポットによるプッシュプル信号（以下、「メインプッシュプル信号」と呼ぶ）から減算することによりトラキングエラー信号（ＤＰＰ信号）を生成する。このＤＰＰ法では、先行サブビームと後行サブビームとを、それらの位相差がトラック横断信号の位相にして３６０度になるように、配置する必要がある。換言すれば、メインビームに対する先行サブビーム又は後行サブビームの位相差がトラック横断信号の位相にして１８０度になるように、配置する必要がある。
【００１７】
このようなＤＰＰ法では、先行サブプッシュプル信号と後行サブプッシュプル信号とを加算した信号で、メインプッシュプル信号から減算することによって、トラッキングエラー信号（ＤＰＰ法）としてプッシュプル信号のみを残すことができる。その結果、ＤＰＰ法では、光ディスクのチルトや対物レンズのシフトで生じるプッシュプル信号のオフセット成分をキャンセルすることができるという利点がある。
【００１８】
とにかく、ＤＰＰ法においては、光ピックアップの組立工程における位相調整時には、メインビームと先行サブビームとの位相差が１８０度になるように、回折格子を調整する工程が必要となる。
【００１９】
【特許文献１】特開２００３−１７３５６３号公報
【特許文献２】特開平１１−１４９６５２号公報
【特許文献３】特開２００３−１９６８６５号公報
【特許文献４】特開２００１−９３１７７号公報
【特許文献５】特開２００５−３３９６４６号公報
【発明の開示】
【発明が解決しようとする課題】
【００２０】
ＨＤ−ＤＶＤからの反射光（戻り光）を受光する従来の光検出器においては、サブビーム側の出力信号として、先行サブビームを受光する先行サブ受光素子群から出力される先行サブ受光信号と後行サブビームを受光する後行サブ受光素子群から出力される後行サブ受光信号とを加算して得られる加算信号を用いている。その理由は、トラッキングサーボ方式としてＤＰＰ法を採用した場合、トラッキングエラー信号（ＤＰＰ信号）を演算する際に、光検出器内部の処理回路において予め加算して得られる上記加算信号を出力したほうが、光検出器の出力ピン数を少なくできるからである。
【００２１】
一方、前述したように、光ピックアップを組み立てる工程での位相調整時には、メインビームと先行サブビームとの間の位相差が１８０度になるように、回折格子を調整する工程が必要になる。
【００２２】
しかしながら、前述したように、従来の光検出器では、サブビーム側の出力信号として、先行サブ受光信号と後行サブ受光信号とを加算して得られる加算信号を用いているので、先行サブ受光信号のみを取り出すことができない。そのため、従来の光検出器を用いた光ピックアップでは、メイン受光信号と上記加算信号とを使用して位相調整をする方法しか取れない。その場合、上記加算信号には後行サブビームの位相信号も含まれているので、正確にメインビームと先行サブビームとの間の位相差が１８０度になるように位相調整することが困難になる。
【００２３】
そこで、本発明の課題は、トラッキングサーボ方式としてＤＰＰ法を採用している光ピックアップにおいて、正確に位相調整を行うのを可能にする光検出器を提供することにある。
【課題を解決するための手段】
【００２４】
本発明の第１の態様によれば、トラッキングサーボ方式としてＤＰＰ法を採用している光ピックアップ（１０）に用いられる光検出器（３５）であって、該光検出器は、光ディスクからの戻り光を受光する受光部（３５−２）と、該受光部で受光された受光信号を処理する処理回路とを備え、前記戻り光は、メインビームと先行サブビームと後行サブビームとから構成され、前記受光部は、前記メインビームを受光するメイン受光素子群（Ａ、Ｂ、Ｃ、Ｄ）と、前記先行サブビームを受光する先行サブ受光素子群（Ｅ１、Ｆ１、Ｇ１、Ｈ１）と、前記後行サブビームを受光する後行サブ受光素子群（Ｅ２、Ｆ２、Ｇ２、Ｈ２）とから構成される、前記光検出器において、前記処理回路（図３、図４、図５）は、通常モード（図４）では、サブビーム側の出力信号として、前記先行サブ受光素子群で受光された先行サブ受光信号と前記後行サブ受光素子群で受光された後行サブ受光信号とを加算した信号（（Ｅ１＋Ｅ２）、（Ｆ１＋Ｆ２）、（Ｇ１＋Ｇ２）、（Ｈ１＋Ｈ２））を出力し、テストモード（図５）では、前記サブビーム側の出力信号として、前記先行サブ受光素子群で受光された先行サブ受光信号のみを処理した信号（Ｅ１、Ｆ１、Ｇ１、Ｈ１）を出力する、ように構成されていることを特徴とする光検出器が得られる。
【００２５】
上記本発明の第１の態様による光検出器において、前記処理回路は、前記メイン受光素子群から出力されるメイン受光信号を処理して、メイン処理信号を出力するメイン処理回路（図３）と、前記先行サブ受光素子群から出力される先行サブ受光信号と前記後行サブ受光素子群から出力される後行サブ受光信号とを処理して、サブ処理信号を出力するサブ処理回路（図４、図５）とから構成されてよい。この場合、前記サブ処理回路は、前記通常モード（図４）では、前記先行サブ受光素子群と前記後行サブ受光素子群とを並列に接続して、前記先行サブ受光信号と前記後行サブ受光信号とを加算した信号（（Ｅ１＋Ｅ２）、（Ｆ１＋Ｆ２）、（Ｇ１＋Ｇ２）、（Ｈ１＋Ｈ２））を前記サブ処理信号として出力し、前記テストモードでは、前記後行サブ受光素子群を切り離して、前記先行サブ受光信号のみを処理した信号（Ｅ１、Ｆ１、Ｇ１、Ｈ１）を前記サブ処理信号として出力する。
【００２６】
本発明の第２の態様によれば、トラッキングサーボ方式としてＤＰＰ法を採用している光ピックアップ（１０）であって、前記光ピックアップは、レーザビームを出射ビームとして出射するレーザ光源（１２）と、光検出器（３５）と、前記出射ビームを光ディスクへ導くとともに、その反射光を戻り光として前記光検出器へ導く光学系とを備え、前記光学系は、前記出射ビームをメインビームと先行サブビームと後行サブビームとに分割する回折格子（１７）と、前記光ディスクに対向するように配置される対物レンズ（３１）とを含み、前記光検出器（３５）は、前記戻り光を受光する受光部（３５−２）と、該受光部で受光された受光信号を処理する処理回路（図３、図４、図５）とを備え、前記受光部は、前記メインビームを受光するメイン受光素子群（Ａ、Ｂ、Ｃ、Ｄ）と、前記先行サブビームを受光する先行サブ受光素子群（Ｅ１、Ｆ１、Ｇ１、Ｈ１）と、前記後行サブビームを受光する後行サブ受光素子群（Ｅ２、Ｆ２、Ｇ２、Ｈ２）とから構成される、前記光ピックアップにおいて、前記処理回路は、通常モード（図４）では、サブビーム側の出力信号として、前記先行サブ受光素子群で受光された先行サブ受光信号と前記後行サブ受光素子群で受光された後行サブ受光信号とを加算した信号（（Ｅ１＋Ｅ２）、（Ｆ１＋Ｆ２）、（Ｇ１＋Ｇ２）、（Ｈ１＋Ｈ２））を出力し、テストモードでは、前記サブビーム側の出力信号として、前記先行サブ受光素子群で受光された先行サブ受光信号のみを処理した信号（Ｅ１、Ｆ１、Ｇ１、Ｈ１）を出力するように構成されている、ことを特徴とする光ピックアップが得られる。
【００２７】
上記本発明の第２の態様による光ピックアップにおいて、前記処理回路は、前記メイン受光素子群から出力されるメイン受光信号を処理して、メイン処理信号を出力するメイン処理回路（図３）と、前記先行サブ受光素子群から出力される先行サブ受光信号と前記後行サブ受光素子群から出力される後行サブ受光信号とを処理して、サブ処理信号を出力するサブ処理回路（図４、図５）とから構成されてよい。この場合、前記サブ処理回路は、前記通常モード（図４）では、前記先行サブ受光素子群と前記後行サブ受光素子群とを並列に接続して、前記先行サブ受光信号と前記後行サブ受光信号とを加算した信号（（Ｅ１＋Ｅ２）、（Ｆ１＋Ｆ２）、（Ｇ１＋Ｇ２）、（Ｈ１＋Ｈ２））を前記サブ処理信号として出力し、前記テストモード（図５）では、前記後行サブ受光素子群を切り離して、前記先行サブ受光信号のみを処理した信号（Ｅ１、Ｆ１、Ｇ１、Ｈ１）を前記サブ処理信号として出力する。
【００２８】
なお、上記括弧内の参照符号は、単に本発明の理解を容易にするために付したものであって、何ら本発明を限定するものではない。
【発明の効果】
【００２９】
光検出器の処理回路は、通常モードとテストモードとを持ち、テストモードでは先行サブビームによる先行サブ受光信号のみを出力するように構成したので、光ピックアップの調整工程において正確な位相調整ができる。
【発明を実施するための最良の形態】
【００３０】
以下、図面を参照して本発明の実施の形態について詳細に説明する。
【００３１】
前述したように、光ディスクドライブにおいては、ＤＶＤやＣＤばかりでなくＨＤ−ＤＶＤ（High Definition ＤＶＤ）に対しても記録・再生可能にするために特殊な光ピックアップを搭載したものが開発されている。そのような特殊な光ピックアップは、ＣＤ用の長波長レーザビーム（波長約７８０ｎｍ）とＤＶＤ用の中波長レーザビーム（波長約６５０ｎｍ）とＨＤ−ＤＶＤ（ＨＤ）用の短波長レーザビーム（波長約４１０ｎｍ）との３種類のレーザビームを使い分けて記録・再生を行うものであり、「３波長対応光ピックアップ」と呼ばれている。
【００３２】
図１は本発明に係る３波長対応光ピックアップ１０の光学系のシステム構成図である。図示の３波長対応光ピックアップ１０は、レーザビームを出射するレーザ光源として１チップ型レーザダイオード１１と、青色レーザダイオード１２とを有する。
【００３３】
１チップ型レーザダイオード１１は、第１のレーザダイオード（図示せず）と第２のレーザダイオード（図示せず）とを１部品（１チップ）で構成したものである。第１のレーザダイオード（第１の発光点）と第２のレーザダイオード（第２の発光点）とは所定距離（例えば、１００μｍ）だけ離れている。第１のレーザダイオードは、第１の波長としてＣＤ用の波長約７８０ｎｍを持つ第１のレーザビームを出射するレーザダイオードであって、「ＣＤ−ＬＤ」と略称される。第２のレーザダイオードは、第２の波長としてＤＶＤ用の波長約６５０ｎｍを持つ第２のレーザビームを出射するレーザダイオードであって、「ＤＶＤ−ＬＤ」と略称される。青色レーザダイオード１２は、第３のレーザダイオードとも呼ばれ、第３の波長としてＨＤ−ＤＶＤ（ＨＤ）用の波長約４１０ｎｍを持つ第３のレーザビームを出射するレーザダイオードであって、「ＨＤ−ＬＤ」と略称される。
【００３４】
３波長対応光ピックアップ１０は、これら第１乃至第３のレーザビームのいずれか１つを光ディスク（図示せず）へ導くとともに、その反射光を光検出器３５（後述する）へ導く光学系とを備えている。そして、この光学系には、光ディスクに対向するように配置される対物レンズ３１が含まれている。レーザ光源１１、１２および光検出器３５は、光学ベース（後述する）の外壁に取り付けられ、対物レンズ３１を除く光学系は光学ベース内に取り付けられる。
【００３５】
一方、対物レンズ３１は、対物レンズ駆動装置（光ピックアップアクチュエータ）に搭載される。対物レンズ駆動装置は、対物レンズ３１を保持する対物レンズホルダを、複数本のサスペンションワイヤによってダンパベースで弾性支持する。
【００３６】
図示の３波長対応光ピックアップ１０は、光学系として、第１および第２の回折格子（グレーティング）１６および１７と、第１のビームスプリッタ２１と、第２のビームスプリッタ２３と、フロントモニタ２５と、立上げミラー（全反射ミラー）２７と、コリメータレンズ２９と、上記対物レンズ３１と、センサレンズ（検出レンズ）３３とを備えている。
【００３７】
第１の回折格子１６、第１のビームスプリッタ２１、第２のビームスプリッタ２３、立上げミラー２７、コリメータレンズ２９、対物レンズ３１、およびセンサレンズ３３の組み合わせは、第１または第２のレーザダイオードから出射された第１または第２のレーザビームを光ディスク（ＣＤまたはＤＶＤ）側へ導くと共に、この光ディスク側から反射された第１または第２の戻り光を透過して光検出器３５へ導く第１または第２の光学系として働く。同様に、第２の回折格子１７、第１のビームスプリッタ２１、第２のビームスプリッタ２３、立上げミラー２７、コリメータレンズ２９、対物レンズ３１、およびセンサレンズ３３の組み合わせは、青色レーザダイオード（第３のレーザダイオード）から出射された第３のレーザビームを光ディスク（ＨＤ―ＤＶＤ）側へ導くと共に、この光ディスク側から反射された第３の戻り光を透過して光検出器３５へ導く第３の光学系として働く。
【００３８】
ここで、青色レーザダイオード（第３のレーザダイオード）１２は、光軸中心に配置され、１チップ型レーザダイオード１１内の第２のレーザダイオードは、光軸中心に配置されている。従って、１チップ型レーザダイオード１１内の第１のレーザダイオードは、光軸からずれた状態で配置されている。そこで、図示の光検出器３５は、ＣＤからの第１の戻り光を光軸からずれたままで受光するように構成されている。
【００３９】
図２に図１に示した３波長対応光ピックアップに使用される光検出器３５の受光面の構成を示す。光検出器３５は、第１の戻り光を受光するための第１の受光部３５−１と、第２または第３の戻り光を受光するための第２の受光部３５−２とを有する。
【００４０】
第１の受光部３５−１は、中央の光束（メインビーム）を受光するための４分割フォトダイオードａ、ｂ、ｃ、ｄと、両側の２本の光束（サブビーム）を受光するための４つのフォトダイオードｅ、ｆ、ｇ、ｈとから構成される。メインビームを受光するための４分割フォトダイオードａ、ｂ、ｃ、ｄはメイン受光素子群と呼ばれ、サブビームを受光するための４つのフォトダイオードｅ、ｆ、ｇ、ｈはサブ受光素子群と呼ばれる。
【００４１】
第２の受光部３５−２は、中央の光束（メインビーム）を受光するための４分割フォトダイオードＡ、Ｂ、Ｃ、Ｄと、第１のサブビーム（先行サブビーム）を受光するための４つのフォトダイオードＥ１、Ｆ１、Ｇ１、Ｈ１と、第２のサブビーム（後行サブビーム）を受光するための４つのフォトダイオードＥ２、Ｆ２、Ｇ２、Ｈ２とから構成されている。メインビームを受光するための４分割フォトダイオードＡ、Ｂ、Ｃ、Ｄはメイン受光素子群と呼ばれる。先行サブビームを受光するための４つのフォトダイオードＥ１、Ｆ１、Ｇ１、Ｈ１は先行サブ受光素子群と呼ばれる。後行サブビームを受光するための４つのフォトダイオードＥ２、Ｆ２、Ｇ２、Ｈ２は後行サブ受光素子群と呼ばれる。
【００４２】
なお、光検出器３５は、後述するように、第１および第２の受光部３５−１および３５−２で受光された受光信号を処理する処理回路を備えている。
【００４３】
また、図示の３波長対応光ピックアップ１０においては、ＣＤ用のトラッキングサーボ方式としては３ビーム法を採用し、ＤＶＤ用のトラッキングサーボ方式としては１ビーム法を採用し、ＨＤ−ＤＶＤ用のトラッキングサーボ方式としてＤＰＰ法を採用している。したがって、光ディスクがＨＤ−ＤＶＤの場合、光検出器３５の第２の受光部３５−２では、第３の戻り光を上記メイン受光素子群、上記先行サブ受光素子群、および上記後行サブ受光素子群で受光する。一方、光ディスクがＤＶＤの場合、光検出器３５の第２の受光部３５−２では、第２の戻り光を上記メイン受光素子群のみで受光する。
【００４４】
次に、図１に示した３波長対応光ピックアップ１０の動作について説明する。この技術分野において周知のように、３波長対応光ビップアップ１０は、書込みモードと再生モードとのいずれか一方のモードで動作するが、ここでは、再生モードの場合の動作について説明する。
【００４５】
最初に、光ディスクとしてＣＤを使用した場合の動作について説明する。この場合、１チップ型レーザダイオード１１内の第１のレーザダイオード（ＣＤ−ＬＤ）のみが動作状態に置かれ、１チップ型レーザダイオード１１内の第２のレーザダイオード（ＤＶＤ−ＬＤ）および青色レーザダイオード（第３のレーザダイオード）１２（ＨＤ−ＬＤ）は非動作状態に置かれる。
【００４６】
第１のレーザダイオード（ＣＤ−ＬＤ）から出射された第１のレーザビームは、第１の回折格子１６を通り、ここでトラッキング制御、フォーカス制御、およびチルティング制御を行うために３本のレーザビームに分離される。その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第１のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＣＤ）の記録面に照射される（集光される）。
【００４７】
この光ディスク（ＣＤ）の記録面からの反射光（第１の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第１の受光部３５−１（図２）に集光する（で受光される）。
【００４８】
次に、光ディスクとしてＤＶＤを使用した場合の動作について説明する。この場合、１チップ型レーザダイオード１１内の第２のレーザダイオード（ＤＶＤ−ＬＤ）のみが動作状態に置かれ、１チップ型レーザダイオード１１内の第１のレーザダイオード（ＣＤ−ＬＤ）および青色レーザダイオード（第３のレーザダイオード）１２（ＨＤ−ＬＤ）は非動作状態に置かれる。
【００４９】
第２のレーザダイオード（ＤＶＤ−ＬＤ）から出射された第２のレーザビームは、第１の回折格子１６を通り、その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第２のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＤＶＤ）の記録面に照射される（集光される）。
【００５０】
この光ディスク（ＤＶＤ）の記録面からの反射光（第２の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００５１】
最後に、光ディスクとしてＨＤ−ＤＶＤを使用した場合の動作について説明する。この場合、青色レーザダイオード（第３のレーザダイオード）１２（ＨＤ−ＬＤ）のみが動作状態に置かれ、１チップ型レーザダイオード１１内の第１のレーザダイオード（ＣＤ−ＬＤ）および第２のレーザダイオード（ＤＶＤ−ＬＤ）非動作状態に置かれる。
【００５２】
青色レーザダイオード（第３のレーザダイオード）１２（ＨＤ−ＬＤ）から出射された第３のレーザビームは、第２の回折格子１７を通り、ここでトラッキング制御、フォーカス制御、およびチルティング制御を行うために３本のレーザビームに分離される。その後、これら３本のレーザビームは第３のビームスプリッタ２１で反射され、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第３のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＨＤ−ＤＶＤ）の記録面に照射される（集光される）。
【００５３】
この光ディスク（ＨＤ−ＤＶＤ）の記録面からの反射光（第３の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００５４】
図３乃至図５は、第１および第２の受光部３５−１および３５−２で受光された受光信号を処理する処理回路を示す図である。図３は、処理回路中の、第１の受光部３５−１のメイン受光素子群ａ、ｂ、ｃ、ｄで受光されたメイン受光信号および第２の受光部３５−２のメイン受光素子群Ａ、Ｂ、Ｃ、Ｄで受光されたメイン受光信号を処理するメイン処理回路を、利得制御回路およびモード制御回路と共に示すブロック図である。図４は、処理回路中の、通常モードにおける第１の受光部３５−１のサブ受光素子群ｅ、ｆ、ｇ、ｈで受光されたサブ受光信号、第２の受光部３５−２の先行サブ受光素子群Ｅ１、Ｆ１、Ｇ１、Ｈ１で受光された先行サブ受光信号、および後行サブ受光素子群Ｅ２、Ｆ２、Ｇ２、Ｈ２で受光された後行サブ受光信号を処理するサブ処理回路を、利得制御回路およびモード制御回路と共に示すブロック図である。図５は、処理回路中の、テストモードにおける第１の受光部３５−１のサブ受光素子群ｅ、ｆ、ｇ、ｈで受光されたサブ受光信号、第２の受光部３５−２の先行サブ受光素子群Ｅ１、Ｆ１、Ｇ１、Ｈ１で受光された先行サブ受光信号、および後行サブ受光素子群Ｅ２、Ｆ２、Ｇ２、Ｈ２で受光された後行サブ受光信号を処理するサブ処理回路を、利得制御回路およびモード制御回路と共に示すブロック図である。
【００５５】
図６は信号レベルの真理値表を示す図である。ディジタル（２値状態）では、低レベルをＬ、高イレベルをＨで表している。トライステート（３値状態）では、低レベルをＬ、中間レベルをＭ、高レベルをＨで表している。
【００５６】
図７は通常モードにおいて、光検出器３５の処理回路から出力される出力信号を示す図である。図８は光検出器３５の処理回路に入力する入力信号と動作モードとの関係を示す図である。図９はテストモードにおいて光検出器３５の処理回路から出力される出力信号を示す図である。
【００５７】
モード制御回路は、第０のスイッチ信号ＳＷ０とスリープモード信号ＥＮとテストモード信号ＴＥＳＴに応答して、処理回路のモードを制御する。利得制御回路は、第１及び第２のスイッチ信号ＳＷ１、ＳＷ２に基づいて処理回路を構成する増幅器の利得を制御する。なお、図８に示されるように、第０乃至第２のスイッチ信号ＳＷ０、ＳＷ１、ＳＷ２は３値信号であり、スリープモード信号ＥＮとテストモード信号ＴＥＳＴは２値信号である。
【００５８】
図３および図７を参照して、メイン処理回路について説明する。図３はモード制御回路によってＨＤ（ＨＤ−ＤＶＤ）またはＤＶＤを選択した場合のメイン処理回路を示している。この場合、メイン処理回路を構成するメディア選択スイッチ群は上側に切り替えられており、メイン処理回路は、第２の受光部３５−２のメイン受光素子群Ａ、Ｂ、Ｃ、Ｄで受光されたメイン受光信号を処理して、出力端子Ａ、Ｂ、Ｃ、ＤからＨＤ（ＨＤ−ＤＶＤ）またはＤＶＤ用のメイン処理信号Ａ、Ｂ、Ｃ、Ｄを出力する。
【００５９】
一方、モード制御回路によってＣＤを選択した場合、メイン処理回路を構成するメディア選択スイッチ群は下側に切り換えられる。そのため、メイン処理回路は、第１の受光部３５−１のメイン受光素子群ａ、ｂ、ｃ、ｄで受光されたメイン受光信号を処理して、出力端子Ａ、Ｂ、Ｃ、ＤからＣＤ用のメイン処理信号ａ、ｂ、ｃ、ｄを出力する。
【００６０】
次に図４および図７を参照して、通常モードにおけるサブ処理回路について説明する。図４はモード制御回路によってＨＤ（ＨＤ−ＤＶＤ）またはＤＶＤを選択し、かつ通常モードに選択した場合のサブ処理回路を示している。この場合、サブ処理回路を構成するメディア選択スイッチ群は上側に切り替えられていると共に、テスト選択スイッチ群は閉成している。したがって、図４に示されるように、先行サブ受光素子群Ｅ１、Ｆ１、Ｇ１、Ｈ１と後行サブ受光素子群Ｅ２、Ｆ２、Ｇ２、Ｈ２は互いに並列に接続される。そのため、サブ処理回路は、第２の受光部３５−２の先行サブ受光素子群Ｅ１、Ｆ１、Ｇ１、Ｈ１で受光された先行サブ受光信号と後行サブ受光素子群Ｅ２、Ｆ２、Ｇ２、Ｈ２で受光された後行サブ受光信号とをそれぞれ加算して、出力端子Ｅ、Ｆ、Ｇ、ＨからＨＤ（ＨＤ−ＤＶＤ）またはＤＶＤ用のサブ処理信号（Ｅ１＋Ｅ２）、（Ｆ１＋Ｆ２）、（Ｇ１＋Ｇ２）、（Ｈ１＋Ｈ２）を出力する。
【００６１】
一方、モード選択回路によってＣＤを選択した場合、サブ処理回路を構成するメディア選択スイッチ群は下側に切り換えられる。そのため、サブ処理回路は、第１の受光部３５−１のサブ受光素子群ｅ、ｆ、ｇ、ｈで受光されたサブ受光信号を処理して、出力端子Ｅ、Ｆ、Ｇ、ＨからＣＤ用のサブ処理信号ｅ、ｆ、ｇ、ｈを出力する。
【００６２】
このように通常モードでは、光検出器３５は、サブビーム側の出力信号として、その出力端子Ｅ、Ｆ、Ｇ、Ｈから、先行サブ受信信号Ｅ１、Ｆ１、Ｇ１、Ｈ１と後行サブ受信信号Ｅ２、Ｆ２、Ｇ２、Ｈ２とを加算した加算信号（Ｅ１＋Ｅ２）、（Ｆ１＋Ｆ２）、（Ｇ１＋Ｇ２）、（Ｈ１＋Ｈ２）を出力する。
【００６３】
これら光検出器３５から出力される出力信号は、ＰＤフレキシブルプリント基板（図示せず）を介して光学ベース（図示せず）上に搭載されたＯＰＵ回路基板（図示せず）に送出される。ＯＰＵ回路基板は、この光検出器３５の出力信号を演算して、トラッキングエラー信号（ＤＰＰ信号）を出力する演算回路（図示せず）を備えている。演算回路は、下記の数式１によりトラッキングエラー信号（ＤＰＰ信号）を求める。
【００６４】
［数１］
ＤＰＰ＝（Ａ＋Ｂ）−（Ｃ＋Ｄ）−ｋ［（Ｅ＋Ｆ）−（Ｇ＋Ｈ）］
ここで、ｋはメインビームとサブビームとの光強度差を補償する定数であり、Ｅ＝Ｅ１＋Ｅ２、Ｆ＝Ｆ１＋Ｆ２、Ｇ＝Ｇ１＋Ｇ２、Ｈ＝Ｈ１＋Ｈ２である。すなわち、ＤＰＰ信号は、先行サブプッシュプル信号（Ｅ１＋Ｆ１）−（Ｇ１＋Ｈ１）と後行サブプッシュプル信号（Ｅ２＋Ｆ２）−（Ｇ２＋Ｈ２）とを加算して得られる信号に定数ｋを乗算したもので、メインプッシュプル信号（Ａ＋Ｂ）−（Ｃ＋Ｄ）から減算することによって得られる。
【００６５】
一方、前述したように、光ピックアップの組立て工程における位相調整時には、メインビーム（メイン受光信号Ａ）と先行サブビーム（先行サブ受光信号Ｅ１）との間の位相差が１８０度になるように、第２の回折格子１７を調整する工程が必要になる。
【００６６】
しかしながら、通常モードでは、光検出器３５から出力される出力信号として、先行サブビームに係る先行サブ受光信号Ｅ１のみの信号を取り出すことができず、先行サブビームに係る先行サブ受光信号Ｅ１と後行サブビームに係る後行サブ受信信号Ｅ２とを加算した加算信号Ｅを出力している。そのため、メイン受光信号Ａと加算信号Ｅとを使用して位相調整をするしか方法がない。その場合、加算信号Ｅには、後行サブビームの位相信号も含まれているので、正確にメインビームと先行サブビームとの間の位相調整を行うことができない。
【００６７】
そこで本発明では、図５に示されるように、サブ処理回路をテストモードに設定できるようにしている。
【００６８】
次に図５および図９を参照して、テストモードにおけるサブ処理回路について説明する。図５はモード制御回路によってＨＤ（ＨＤ−ＤＶＤ）またはＤＶＤを選択し、かつテストモードに選択した場合のサブ処理回路を示している。この場合、サブ処理回路を構成するメディア選択スイッチ群は上側に切り替えられていると共に、テスト選択スイッチ群は開成している。したがって、図５に示されるように、後行サブ受光素子群Ｅ２、Ｆ２、Ｇ２、Ｈ２は切り離される。そのため、サブ処理回路は、第２の受光部３５−２の先行サブ受光素子群Ｅ１、Ｆ１、Ｇ１、Ｈ１で受光された先行サブ受光信号のみを処理して、出力端子Ｅ、Ｆ、Ｇ、ＨからＨＤ（ＨＤ−ＤＶＤ）またはＤＶＤ用のサブ処理信号Ｅ１、Ｆ１、Ｇ１、Ｈ１を出力する。
【００６９】
一方、モード制御回路によってＣＤを選択した場合、サブ処理回路を構成するメディア選択スイッチ群は下側に切り換えられる。そのため、サブ処理回路は、第１の受光部３５−１のサブ受光素子群ｅ、ｆ、ｇ、ｈで受光されたサブ受光信号を処理して、出力端子Ｅ、Ｆ、Ｇ、ＨからＣＤ用のサブ処理信号ｅ、ｆ、ｇ、ｈを出力する。
【００７０】
このようにテストモードでは、光検出器３５は、サブビーム側の出力信号として、その出力端子Ｅ、Ｆ、Ｇ、Ｈから、先行サブ受信信号Ｅ１、Ｆ１、Ｇ１、Ｈ１と後行サブ受信信号Ｅ２、Ｆ２、Ｇ２、Ｈ２とを加算して得られる加算信号（Ｅ１＋Ｅ２）、（Ｆ１＋Ｆ２）、（Ｇ１＋Ｇ２）、（Ｈ１＋Ｈ２）ではなく、先行サブ受光信号のみを処理した信号Ｅ１、Ｆ１、Ｇ１、Ｈ１を出力する。
【００７１】
したがって、メイン受光信号Ａと先行サブ受光信号Ｅ１との間の位相差が１８０度になるように、第２の回折格子１７を調整することが可能となる。
【００７２】
第２の回折格子１７の調整を行う際、メインビームに係る光検出器３５の出力端子Ａから出力されるメイン受光信号Ａと、サブビームに係る光検出器３５の出力端子Ｅから出力される先行サブ受光信号Ｅ１とをオシロスコープに入力して、図１０に示されるようなリサージュ波形をオシロスコープに表示させながら調整を行う。
【００７３】
図１０において、横軸はメイン受光信号Ａを示し、縦軸は先行サブ受光信号Ｅ１を示す。第１象限と第３象限とに直線状の波形が現れた場合、メイン受光信号Ａと先行サブ受光信号Ｅ１との間の位相差が０度であることを示している。第１象限から第４象限まで円形の波形が現れた場合、メイン受光信号Ａと先行サブ受光信号Ｅ１との間の位相差が９０度であることを示している。第２象限と第４象限とに直線状の波形が現れた場合、メイン受光信号Ａと先行サブ受光信号Ｅ１との間の位相差が１８０度であることを示している。
【００７４】
従来の光検出器のように、通常モードでしか動作できない場合、光検出器の出力端子Ｅからは先行サブ受光信号Ｅ１と後行サブ受信信号Ｅ２とを加算した加算信号（Ｅ１＋Ｅ２）が出力される。その結果、先行サブ受光信号Ｅ１と後行サブ受信信号Ｅ２の周波数成分が影響しあってオシロスコープ上に綺麗なリサージュ波形を表示することが出来ない。
【００７５】
これに対して、本実施の形態に係る光検出器３５では、テストモードにおいて、出力端子Ｅから先行サブ受光信号Ｅ１のみを出力出来るようにしているので、オシロスコープ上の波形が安定し、綺麗なリサージュ波形を表示することが出来る。その結果、第２の回折格子１７の調整を容易に行うことができる。
【００７６】
図１１は、モード制御回路によってＨＤ（ＨＤ−ＤＶＤ）またはＤＶＤを選択している場合に、第１及び第２のスイッチ信号ＳＷ１、ＳＷ２に基づいて利得制御回路によって制御された、処理回路を構成する増幅器の利得特性を示す図である。
【００７７】
図１２は、モード制御回路によってＣＤを選択している場合に、第１及び第２のスイッチ信号ＳＷ１、ＳＷ２に基づいて利得制御回路によって制御された、処理回路を構成する増幅器の利得特性を示す図である。
【００７８】
図１１および図１２から、スイッチ信号ＳＷ１、ＳＷ２の値によって、処理回路を構成する増幅器の利得が制御され、光検出器３５の感度／周波数特性が８段系に切り替えられることが分かる。
【００７９】
以上、本発明ついて一実施の形態に即して説明してきたが、本発明は上記実施の形態に限定されるものではない。例えば、上述した実施の形態では、青色レーザビーム対応の光ディスクとしてＨＤ−ＤＶＤを使用した場合を例に挙げて説明しているが、ＨＤ−ＤＶＤの代わりにＢｌｕ−ｒａｙディスクを用いても良いのは勿論である。また、上述した実施の形態では、光ピックアップとして３波長対応光ピックアップを例に挙げて説明したが、本発明はこれに限定されず、トラッキングサーボ方式としてＤＰＰ法を採用している、他のタイプの光ピックアップにも適用可能であるのは勿論である。
【図面の簡単な説明】
【００８０】
【図１】本発明が適用される３波長対応光ピックアップの光学系のシステム構成図（光路図）である。
【図２】図１に図示した３波長対応光ピックアップに使用される、本発明の一実施の形態に係る光検出器の受光面の構成を示す概略平面図である。
【図３】図２の光検出器に含まれる処理回路中の、第１の受光部のメイン受光素子群で受光されたメイン受光信号および第２の受光部のメイン受光素子群で受光されたメイン受光信号を処理するメイン処理回路を、利得制御回路およびモード制御回路と共に示すブロック図である。
【図４】図２の光検出器に含まれる処理回路中の、通常モードにおける第１の受光部のサブ受光素子群で受光されたサブ受光信号、第２の受光部の先行サブ受光素子群で受光された先行サブ受光信号、および後行サブ受光素子群で受光された後行サブ受光信号を処理するサブ処理回路を、利得制御回路およびモード制御回路と共に示すブロック図である。
【図５】図２の光検出器に含まれる処理回路中の、テストモードにおける第１の受光部のサブ受光素子群で受光されたサブ受光信号、第２の受光部の先行サブ受光素子群で受光された先行サブ受光信号、および後行サブ受光素子群で受光された後行サブ受光信号を処理するサブ処理回路を、利得制御回路およびモード制御回路と共に示すブロック図である。
【図６】信号レベルの真理値表を示す図である。
【図７】通常モードにおいて、光検出器の処理回路から出力される出力信号を示す図である。
【図８】図２の光検出器の処理回路に入力する入力信号と動作モードとの関係を示す図である。
【図９】テストモードにおいて、光検出器の処理回路から出力される出力信号を示す図である。
【図１０】オシロスコープに表示されるリサージュ波形を示す図である。
【図１１】図３乃至図５に示されるモード制御回路によってＨＤ（ＨＤ−ＤＶＤ）またはＤＶＤを選択している場合に、第１及び第２のスイッチ信号に基づいて利得制御回路によって制御された、処理回路を構成する増幅器の利得特性を示す図である。
【図１２】図３乃至図５に示されるモード制御回路によってＣＤを選択している場合に、第１及び第２のスイッチ信号に基づいて利得制御回路によって制御された、処理回路を構成する増幅器の利得特性を示す図である。
【符号の説明】
【００８１】
１０      ３波長対応光ピックアップ
１１      １チップ型レーザダイオード
１２      青色レーザダイオード(第３のレーザダイオード)
１６      第１の回折格子（グレーティング）
１７      第２の回折格子（グレーティング）
２１      第１のビームスプリッタ
２３      第２のビームスプリッタ
２５      フロントモニタ
２７      立上げミラー（全反射ミラー）
２９      コリメータレンズ
３１      対物レンズ
３３      センサレンズ
３５      光検出器
３５−１    第１の受光部
３５−２    第２の受光部
Ａ、Ｂ、Ｃ、Ｄ    メイン受光素子群
Ｅ１、Ｆ１、Ｇ１、Ｈ１    先行サブ受光素子群
Ｅ２、Ｆ２、Ｇ２、Ｈ２    後行サブ受光素子群
ａ、ｂ、ｃ、ｄ    メイン受光素子群
ｅ、ｆ、ｇ、ｈ    サブ受光素子群
【図１】
2008090935.tif 000003
【図２】
2008090935.tif 000004
【図３】
2008090935.tif 000005
【図４】
2008090935.tif 000006
【図５】
2008090935.tif 000007
【図６】
2008090935.tif 000008
【図７】
2008090935.tif 000009
【図８】
2008090935.tif 000010
【図９】
2008090935.tif 000011
【図１０】
2008090935.tif 000012
【図１１】
2008090935.tif 000013
【図１２】
2008090935.tif 000014